(57)【要約】【課題】  蓋部にロック片を係合させて容易にロックすることができるテープカセット用収納ケースを提供する。【解決手段】  磁気テープカセットＣを収納する収納部１１と、収納部１１を囲む外板を有する蓋部１２と、収納部１１に蓋部１２を開閉可能に連結するヒンジ板部１６と、蓋部１２の外板の外側面に形成された係合部３６と、収納部１１におけるヒンジ板部１６と反対側の端縁部４０に形成されたロック片基端部４２と、ロック片基端部４２に第１のヒンジ部１８を介して支持され、係合部３６に係合可能なロック片１７とを備え、ロック片１７が、第１のヒンジ部１８に一端が連接された第１の可動片１７ｂと、該第１の可動片１７ｂの他端に連接された第２の可動片１７ａとを備え、第２の可動片１７ａには係合部３６に係合可能な係止部４４が設けられ、第１の可動片１７ｂと第２の可動片１７ａとの間に第２のヒンジ部４５が形成されている。【選択図】  図２
2006016013.tif 000002
【特許請求の範囲】
【請求項１】
磁気テープカセットを収納する収納部と、
前記収納部を囲む外板を有する蓋部と、
前記収納部に前記蓋部を開閉可能に連結するヒンジ板部と、
前記蓋部の前記外板の外側面に形成された係合部と、
前記収納部における前記ヒンジ板部と反対側の端縁部に形成されたロック片基端部と、
前記ロック片基端部に第１のヒンジ部を介して支持され、前記係合部に係合可能なロック片とを備え、
前記ロック片が、前記第１のヒンジ部に一端が連接された第１の可動片と、該第１の可動片の他端に連接された第２の可動片とを備え、前記第２の可動片には前記係合部に係合可能な係止部が設けられ、前記第１の可動片と前記第２の可動片との間に第２のヒンジ部が形成されていることを特徴とするテープカセット用収納ケース。
【請求項２】
前記第１の可動片にはロック片側リブが形成され、前記係合部の近傍には、前記蓋部を前記収納部に閉じた状態で、前記ロック片側リブの上方に当接する蓋部側リブが形成されていることを特徴とする請求項１に記載のテープカセット用収納ケース。
【発明の詳細な説明】
【技術分野】
【０００１】
本発明は、放送局で磁気テープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図８は、従来のテープカセット用収納ケースを示す図である。
図８に示すように、従来のテープカセット用収納ケース７０は、ハードタイプのケース本体を有し、ケース本体が、四側壁７２を有する収納部７１と、三側壁７４を有する蓋部７３と、収納部７１の底面板７５及び蓋部７３の天面板７６とがヒンジ７７，７８によって接続され、該蓋部７３を閉じた状態で蓋部７３の一側壁になる連接部７９と、からなる。
【０００５】
蓋部７３の内部において、連接部７９とは反対側の正面側の側壁７４の両端部には鉤部８１を備えた側壁ロック部８０が形成されている。鉤部８１は蓋部７３を閉じた時に、収納部７１の側壁７２に形成されている係止穴８２に係止される。
【０００６】
また、テープカセット用収納ケース７０には、連接部７９とは反対の正面側に、外周縁部８３を欠落させてサイドロック部８４が設けられている。サイドロック部８４は、収納部７１の底面板７５にヒンジ８５を介して接続され、フラップ板８６が設けられており、閉じられた蓋部７３の側壁７４に重ね合わされた時に、フラップ板８６に形成されている鉤部８７が蓋部７３の側壁７４の外表面の係止部（不図示）に係止されてロックされる。
【０００７】
【特許文献１】特開２００２−１７９１７６号公報
【発明の開示】
【発明が解決しようとする課題】
【０００８】
ところが、テープカセット用収納ケース７０では、サイドロック部８４がロックされたテープカセット用収納ケース７０を落とした際に、落下の衝撃がサイドロック部８４に加わることで該サイドロック部８４に撓みが生じることに起因してサイドロック部８４が係止部から外れることがあった。そこで、落下した収納ケース７０から収納されている磁気テープカセットが飛び出して磁気テープカセットが損傷することを防止するため、サイドロック部８４と係止部との係合状態を強固にする構成が考えられる。
しかし、サイドロック部８４と係止部との係合状態を強固にすると、サイドロック部８４を係止部に係合させる際に、使用者が手指でサイドロック部８４に強い力を加えつつ操作しなくてならないため係合させ難くなり、使い勝手が悪くなる点で改善の余地があった。
【０００９】
本発明は、上述した事情に鑑みてなされたものであり、その目的は、蓋部にロック片を係合させて容易にロックすることができるテープカセット用収納ケースを提供することにある。
【課題を解決するための手段】
【００１０】
本発明の上記目的は、磁気テープカセットを収納する収納部と、前記収納部を囲む外板を有する蓋部と、前記収納部に前記蓋部を開閉可能に連結するヒンジ板部と、前記蓋部の前記外板の外側面に形成された係合部と、前記収納部における前記ヒンジ板部と反対側の端縁部に形成されたロック片基端部と、前記ロック片基端部に第１のヒンジ部を介して支持され、前記係合部に係合可能なロック片とを備え、前記ロック片が、前記第１のヒンジ部に一端が連接された第１の可動片と、該第１の可動片の他端に連接された第２の可動片とを備え、前記第２の可動片には前記係合部に係合可能な係止部が設けられ、前記第１の可動片と前記第２の可動片との間に第２のヒンジ部が形成されていることを特徴とするテープカセット用収納ケースによって達成される。
【００１１】
上記のテープカセット用収納ケースによれば、ロック片が第１のヒンジ部を介して収納部の端縁部に支持されていることから、蓋部の係合部にロック片の係止部を係合させる場合には、第１のヒンジ部においてロック片を収納部側に折り畳むことができ、さらに、該ロック片における第１の可動片及び第２の可動片を第２のヒンジ部において互いに折り畳むことができる。そして、第２の可動片に形成された係止部を蓋部の係合部に導いて適正な位置で係合させる過程において、使用者がロック片を手指で操作しやすくなり、係合部と係止部とを係合させる寸前に第１の可動片を保持しつつ係止部が形成された第２の可動片のみを操作して、係合部と係止部とをロック状態にすることができる。このように、本発明に係るテープカセット用収納ケースが従来のものに比べてロック片の操作が行い易い構成であるため、係合部と係止部との係合したときの強度を上げるように形成しても、使用者は、第１及び第２のヒンジ部によって第１の可動片及び第２の可動片とを適宜に折り畳んで位置を調整することで、強い力を加えることなくロック操作を行うことができるため、使い勝手が良い。
【００１２】
上記テープカセット用収納ケースは、前記第１の可動片にはロック片側リブが形成され、前記係合部の近傍には、前記蓋部を前記収納部に閉じた状態で、前記ロック片側リブの上方に当接する蓋部側リブが形成されていることが好ましい。こうすれば、テープカセット用収納ケースが落下したときなどロック片基端部に外部から衝撃が加わった場合に、この衝撃によってロック片が撓むことに起因して蓋部にロック片がずれそうになっても、ロック片の第１の可動片に形成されたロック片側リブが蓋部に形成された蓋部側リブに当接しているため、ロック片が移動してしまうことが規制される。このため、テープカセット用収納ケースを落下させた場合に、ロック片の係止部と蓋部の係合部との係合が外れることが抑制され、収納部に収納したテープカセットが落下の衝撃で飛び出して損傷することを防止することができる。また、ロック片の係止部を蓋部の係合部に係合させる際には、蓋部側リブにロック片側リブを当接させることで第１の可動片を位置決めすることができ、第２の可動片に形成された係止部を係合部に係合させる操作をより一層円滑に行うことができるようになる。
【発明の効果】
【００１３】
本発明によれば、蓋部にロック片を係合させて容易にロックすることができるテープカセット用収納ケースを提供できる。
【発明を実施するための最良の形態】
【００１４】
以下、本発明に係る好適な実施の形態例を図面に基づいて詳細に説明する。図１は、本発明に係るテープカセット用収納ケースの第１の実施形態を示す開状態の外観斜視図である。図２は、図１に示すテープカセット用収納ケースの部分拡大図である。図３〜図５はそれぞれ、図１に示すテープカセット用収納ケースの構成を示すＡ−Ａ線方向に観た断面図であり、図３は、蓋部を閉じる前の状態を、図４は、蓋部を閉じた状態で、かつ、ロック片をロックする前の状態を、図５は、蓋部を閉じた状態で、かつ、ロック片をロックした状態をそれぞれ示す。
【００１５】
図１に示すように、テープカセット用収納ケース１０は、磁気テープカセットＣを収納する収納部１１と、この収納部１１を囲む外板１３，１４，１５を有する蓋部１２と、収納部１１及び蓋部１２を開閉可能に連結するヒンジ板部１６と、収納部１１にヒンジ部１８を介して可動に連接されたロック片１７と、が一体成形で構成されている。テープカセット用収納ケース１０は、ポリプロピレン（ＰＰ）等の高分子樹脂を材料として成形されている。
【００１６】
収納部１１の底板１９の外縁部には、周囲を囲んで配された周板２０，２１，２２，２３が立設されている。周板２０は収納部１１の正面側に配され、周板２１は収納部１１の背面側に配され、周板２２，２３は収納部１１の左・右面側に配されている。周板２０，２１，２２，２３の中央部には、高さが低くなるように切除された凹部２４，２５，２６，２７がそれぞれ形成されている。
【００１７】
収納部１１には、底板１９の中央部に、一対のリール係止リブ２８が形成されている。リール係止リブ２８は、スリットによって周方向に複数に分割された円筒形状を有する。リール係止リブ２８に磁気テープカセットＣに有する巻取ハブ（不図示）を挿入することにより、磁気テープカセットＣを収納部１１に位置決めする。
【００１８】
収納部１１には、周板２０の前面における凹部２４の両側に、第１の係合部３０がそれぞれ形成されている。ヒンジ板部１６側に位置する外板１３の内面側両端部には、第１の係止部３１が形成されている。蓋部１２が閉じられる際に、第１の係合部３０と第１の係止部３１とが係合するように構成されている。
【００１９】
蓋部１２には、天板３２の外縁部に周囲の三方を囲んで配された外板１３，１４，１５が、天板３２上に直立して形成されている。蓋部１２を収納部１１に被せた状態で、外板１３が収納部１１の正面に位置するよう形成され、外板１４，１５が収納部１１の両側面に位置するように形成されている。
【００２０】
また蓋部１２には、外板１４，１５の内側面に、四角柱形状の角ボス３３が形成されている。角ボス３３は、蓋部１２が収納部１１に対して閉じられた際に、収納部１１の周板２２，２３の外側面と蓋部１２の外板１４，１５の内側面との間に位置するように設けられ、閉じられた蓋部１２が適正な位置になるように案内する。
【００２１】
ヒンジ板部１６は、収納部１１と蓋部１２との間に、板形状に形成されている。ヒンジ板部１６における、収納部１１と蓋部１２に連結する縁辺には、ヒンジ３４，３５が形成されている。一方のヒンジ３４は、収納部１１の底板１９の一辺に連結されており、他方のヒンジ３５は、蓋部１２の天板３２の一辺に連結されている。
【００２２】
収納部１１の周板２０の端縁部４０における略中央には、台形形状を有する板状のロック片１７が連結されている。ロック片１７の先端部には、第２の係止部４４が形成されている。
【００２３】
蓋部１２には、外板１３の外面に立設され、水平方向に延びる第２の係合部（係合部）３６が形成されている。
【００２４】
図３，４及び５に示すように、収納部１１の周板２０には、下端部外面に沿って端縁部４０が突設されている。端縁部４０における略中央には水平に延設された延設部４１と、延設部４１の端部から左斜め上方へ約４５°の角度を以って立設されたロック片基端部４２とが設けられる。ロック片基端部４２は、図３の断面視において、周板２０の端縁部４０における他の部位４３に対して、収納部１１の内側へ窪んだ形状である。
【００２５】
ロック片１７は、ロック片基端部４２の先端部にヒンジ部１８を介して連接されている。ロック片１７は、ヒンジ部１８で回動させることで周板２０側へ折り畳むことができる構成である。そして、蓋部１２を収納部１１に対して閉じた状態において、第２の係合部３６がロック片１７の第２の係止部と係合することで蓋部１２をロックさせることができる。
【００２６】
テープカセット用収納ケース１０は、蓋部１２が収納部１１に対して閉じられることにより、第１の係合部３０に第１の係止部３１がそれぞれ係合されてロックした後に、さらに、ロック片１７がヒンジ部１８を介して図１中の上方に向けて立ち上げられることにより、ロック片１７の第２の係止部４４が蓋部１２の第２の係合部３６に係合されてロックする、所謂、ダブルロックする構成である。
【００２７】
図２及び図３に示すように、本実施形態のテープカセット用収納ケース１０において、ロック片１７は、ヒンジ部１８に一端（図２中奥側の端部）が連接された第１の可動片１７ｂと該第１の可動片１７ｂの他端（図２中手前側端部）に連接された第２の可動片１７ａとからなる。第１の可動片１７ｂは、図２の上面視において、ともに略台形状を有し、ヒンジ部１８側を下辺とし、反対側を上辺としたときに、第１の可動片１７ｂの上辺に第２の可動片１７ａの下辺が連接されている。
【００２８】
第２の可動片１７ｂに、蓋部１２の外板１３に形成された係合部３６に係合可能な係止部４４が設けられている。係止部４４は、第２の可動片１７ｂから垂直に立ち上げられたリブの先端部から該リブとは略垂直に、ロック片１７の先端とは反対側に延設されている。
【００２９】
第１の可動片１７ｂの上辺と第２の可動片１７ａの下辺との間にはヒンジ部４５が形成されている。以下、本発明においては、第１の可動片１７ｂとロック片基端部４２との間のヒンジ部１８を第１のヒンジ部１８とし、第１の可動片１７ｂと第２の可動片１７ａとの間のヒンジ部４５を第２のヒンジ部４５という。
【００３０】
以下、図３，４及び５を参照して、本発明に係るテープカセット用収納ケースの作用を具体的に説明する。
蓋部１２を収納部１１に対して閉じた状態（閉状態）とする場合には、図３に示すように、蓋部１２を図中矢印方向に移動させる。そして、図４に示すように、蓋部１２の外板１３の内面に設けられた第１の係止部３１を、収納部１１の前側の周板２０における外側に設けられた第１の係合部３０に係合させる。
【００３１】
次に、閉じた状態の蓋部１２にロック片１７をロックするには、図４に示すようにロック片１７を矢印方向に折り曲げる。ここで、図５に示すように、ロック片１７は、第１のヒンジ部１８において、第１の可動片１７ｂ及び第２の可動片１７ａの両方を蓋部１２の外板１３側に折り曲げて近づけることができる。また、ロック片１７は、第２のヒンジ部４５によって、第１の可動片１７ｂと第２の可動片１７ａとを別々に折り曲げることができる。そして、第２の可動片１７ａに形成された係止部４４を蓋部１２の係合部３６に係合させて図５中破線で示すように、ロック片１７を蓋部１２にロックさせることができる。
【００３２】
本実施形態のテープカセット用収納ケース１０によれば、ロック片１７が第１のヒンジ部１８を介して収納部１１の端縁部４０に支持されていることから、蓋部１２の係合部３６にロック片１７の係止部４４を係合させる場合には、第１のヒンジ部１８においてロック片１７を収納部１１側に折り曲げることができ、さらに、該ロック片１７における第１の可動片１７ｂ及び第２の可動片１７ａを第２のヒンジ部４５において互いに折り曲げることができる。そして、第２の可動片１７ａに形成された係止部４４を蓋部１２の係合部３６に導いて適正な位置で係合させる過程において、使用者がロック片１７を手指で操作しやすくなり、係合部３６と係止部４４とを係合させる寸前に第１の可動片１７ｂを保持しつつ係止部４４が形成された第２の可動片１７ａのみを操作して、係合部３６と係止部４４とをロック状態にすることができる。このように、本発明に係るテープカセット用収納ケース１０が従来のものに比べてロック片１７の操作が行い易い構成であるため、係合部３６と係止部４４との係合したときの強度を上げるように形成しても、使用者は、第１及び第２のヒンジ部１８，４５によって第１の可動片１７ｂ及び第２の可動片１７ａとを適宜に折り曲げて位置を調整することで、強い力を加えることなくロック操作を行うことができるため、使い勝手が良い。
【００３３】
次に、図６及び図７を参照して本発明に係るテープカセット用収納ケースの第２の実施形態を説明する。図６は、本発明に係るテープカセット用収納ケースの第２の実施形態の部分拡大図である。図７は、図６のテープカセット用収納ケースの要部断面図である。なお、以下に説明する実施形態において、すでに説明した部材などと同等な構成・作用を有する部材等については、図中に同一符号又は相当符号を付すことにより、説明を簡略化或いは省略する。
【００３４】
図６に示すように、本実施形態のテープカセット用収納ケース５０において、ロック片１７の第１の可動片１７ｂにロック片側リブ４６が立設されている。また、図７に示すように、係合部３６の近傍に、蓋部１２を収納部１１に対して閉じた状態で、ロック片側リブ４６における図７中上方端部に当接するように形成された蓋部側リブ４７が設けられている。本実施形態において、ロック片側リブ４６及び蓋部側リブ４７は、図７のように断面視矩形状としたが、蓋部１２を収納部１１に対して閉じた状態で互いに当接させることができれば、その形状，寸法及び数は、特に限定されない。
【００３５】
本実施形態によれば、テープカセット用収納ケース５０が落下したときなどロック片基端部４２に外部から、例えば、図７の矢印Ｄで示す衝撃が加わった場合に、この衝撃によってロック片１７が撓むことに起因して蓋部１２の位置に対してロック片１７がずれそうになっても、ロック片１７の第１の可動片１７ｂに形成されたロック片側リブ４６が蓋部１２に形成された蓋部側リブ４７に当接しているため、ロック片１７が移動してしまうことが規制される。このため、テープカセット用収納ケース５０を落下させた場合に、ロック片１７の係止部４４と蓋部１２の係合部３６との係合が外れることが抑制され、収納部１１に収納したテープカセットＣが落下の衝撃で飛び出して損傷することを防止することができる。また、ロック片１７の係止部４４を蓋部１２の係合部３６に係合させる際には、蓋部側リブ４７にロック片側リブ４６を当接させることで第１の可動片１７ｂを位置決めすることができ、第２の可動片１７ａに形成された係止部４４を係合部３６に係合させるように操作でき、ロック操作をより一層円滑に行うことができるようになる。
【００３６】
なお、本発明は、前述した実施形態に限定されるものではなく、適宜に変形や改良等が可能である。
例えば、ロック片１７の形状は、上記実施形態のように平面視において台形形状に限定されることはなく、四角形状や半円形状であってもよい。
【図面の簡単な説明】
【００３７】
【図１】本発明に係るテープカセット用収納ケースの第１の実施形態を示す開状態の外観斜視図である。
【図２】図１に示すテープカセット用収納ケースの部分拡大図である。
【図３】図１に示すテープカセット用収納ケースのＡ−Ａ線方向における、蓋部を閉じる前の状態を示す断面図である。
【図４】図１に示すテープカセット用収納ケースのＡ−Ａ線方向における、蓋部を閉じた状態で、かつ、ロック片をロックする前の状態を示す断面図である。
【図５】図１に示すテープカセット用収納ケースのＡ−Ａ線方向における、蓋部を閉じた状態で、かつ、ロック片をロックした状態を示す断面図である。
【図６】本発明に係るテープカセット用収納ケースの第２の実施形態の部分拡大図である。
【図７】図６のテープカセット用収納ケースの要部断面図である。
【図８】従来のテープカセット用収納ケースの開状態を示す図である。
【符号の説明】
【００３８】
１０，５０        テープカセット用収納ケース
１１              収納部
１２              蓋部
１７              ロック片
１８              第１のヒンジ部
３６              第２の係合部
４２              ロック片基端部
４５              第２のヒンジ部
４６              ロック片側リブ
４７              蓋部側リブ
Ｃ                磁気テープカセット
【図１】
2006016013.tif 000003
【図２】
2006016013.tif 000004
【図３】
2006016013.tif 000005
【図４】
2006016013.tif 000006
【図５】
2006016013.tif 000007
【図６】
2006016013.tif 000008
【図７】
2006016013.tif 000009
【図８】
2006016013.tif 000010